(57)【要約】【課題】  本発明は、サイディング材の取付けに際し、気温の変動によりサイディング材に生じる伸縮性を吸収できるとともに、取付けが簡単で、熟練を必要とせず、施工が確実かつ迅速に行えるサイディング材用取付具を提供する。【解決手段】  本発明のサイディング材用取付具1は、壁面にプラスチック製のサイディング材４を取り付けるための取付具であって、サイディング材４を吊り下げる吊下げ部２と、サイディング材４を壁面に固定するための当て板部３とから構成されている。前記吊下げ部２は、当て板部３からサイディング材４の板状上辺縁部５および折込部６に沿って下方に延び、この折込部６を巻回した後、折込部６とサイディング材本体７との隙間に入って上方に延びる板状体であることとが望ましい。【選択図】  図２
2005113601.tif 000002
【特許請求の範囲】
【請求項１】
壁面にプラスチック製のサイディング材を取り付けるための取付具であって、前記サイディング材を吊り下げる吊下げ部と、前記サイディング材を壁面に固定するための当て板部とからなることを特徴とするプラスチック製サイディング材用取付具。
【請求項２】
吊下げ部が、当て板部から前記サイディング材の板状上辺縁部および折込部に沿って下方に延び、この折込部を巻回した後、前記折込部と前記サイディング材本体との隙間に入って上方に延びる板材からなる請求項１に記載のプラスチック製サイディング材用取付具。
【請求項３】
当て板部に取付孔を設け、耐食性金属板で形成されている請求項１または請求項２に記載のプラスチック製サイディング材用取付具。
【発明の詳細な説明】
【技術分野】
【０００１】
本発明は、家屋の外装材として利用されているプラスチック製サイディング材用取付具に関する。
【背景技術】
【０００２】
塩ビ樹脂（ＰＶＣ）等を主原料とするプラスチック製サイディング材（以下、サイディング材と略記する。）は、安価で耐久性に優れ、塩害による錆や凍結融解によるひび割れもなく、目地にコーキングを必要としない撥水性に優れた長寿命の家屋の外装材として近年普及してきている。
サイディング材は、一般に、一枚の長尺プラスチックシートで成形され、図４に示すように、家屋の外装壁面となるサイディング材本体２７と、取付孔２８が連続して設けられた板状の上辺縁部２５と、サイディング材本体２７と上辺縁部２５の間に、左右方向に形成された突条の折込部２６と、下辺縁部に形成された樋状のフック部３０とから構成されている（例えば、特許文献１参照）。
【特許文献１】特開２０００−２４０２５６号公報
【発明の開示】
【発明が解決しようとする課題】
【０００３】
前記従来のサイディング材は、胴縁もしくは下地材に、板状の上辺縁部２５を当てがい、取付孔２８を利用してネジ止めもしくは釘を打ち付けて吊下げ状に固定するが、前記サイディング材は、プラスチック製であるために気温の変化による伸縮性が大きく、板状の上辺縁部２５をネジ等で、胴縁等に強圧状に締付け固定してしまうと、気温の変動による伸縮により、固定ネジ間でサイディング材に反りが生じてしまう。
そこで、サイディング材のネジ止め等に際しては、ネジを完全に締付け固定せずに、サイディング材の伸縮が可能な程度の緩みをもたせて固定し、サイディング材に反りが生じないように施工されていた。
【０００４】
しかし、通常、サイディング材のネジ止めに際し、作業の迅速化を図るため、インパクトドライバー等の電動ドライバーを使用しているため、胴縁等とサイディング材間に一定の緩みを持たせて締付け固定するのは難しく、熟練を要する。
前記一定の緩みを持たせて取付けることができず、ネジを強圧状に締付けた場合には、前記したように、サイディング材に反り等が生じて製品価値を損なうだけでなく、強風時にサイディング材が外れてしまうことも考えられる。
また、ネジや釘の頭は、取付孔２８の径の倍以上が必要であり、頭の径が小さいと強風時にサイディング材が外れてしまうため、ワッシャーと一緒に取付けなければならない。そのため、ネジや釘の頭の径が、取付孔から外れないためには特殊な仕様としなければならない。
さらに、従来は、サイディング材がネジで吊り下がっている状態であるので、荷重がネジ部に集中し、サイディング材の耐用年数を低下させることにもなっていた。
【０００５】
そこで、本発明の課題は、サイディング材の取付けに際し、気温の変動によりサイディング材に生じる伸縮性を吸収できるとともに、取付けが簡単で、熟練を必要とせず、施工が確実かつ迅速に行えるサイディング材用取付具を提供することにある。
【課題を解決するための手段】
【０００６】
上記課題を解決するため、本発明のサイディング材用取付具は、前記サイディング材を吊り下げる所要の幅を有する吊下げ部と、前記サイディング材を壁面に固定するための当て板部とからなる。
このサイディング材用取付具は、吊下げ部が、当て板部から前記サイディング材の板状上辺縁部および折込部に沿って下方に延び、この折込部を巻回した後、前記折込部と前記サイディング材本体との隙間に入って上方に延びる板状体とすることが望ましい。
また、本発明のサイディング材用取付具は、当て板部に取付孔を設け、耐食性金属板で形成したものであるのが好ましい。
【発明の効果】
【０００７】
本発明のサイディング材用取付具によれば、サイディング材の胴縁等への取付けに際し、ネジの締付け具合を加減する等の熟練を必要とせず、インパクトドライバー等の電動ドライバーを使用することができ、気温の変動による伸縮性は、サイディング材の折込部とサイディング材用取付具の吊下げ部とが摺動することによって吸収できるので、作業の確実性と効率化が図れる。
【発明を実施するための最良の形態】
【０００８】
以下、本発明の実施の形態を、図に基づいて説明する。
図１は、本発明のサイディング材用取付具を示すもので、（ａ）は正面図、（ｂ）は側面図であり、図２は、図１のサイディング材用取付具をサイディング材に取付けた状態の模式的な部分斜視図である。
図３は、本発明のサイディング材用取付具を用いてサイディング材を胴縁に取付けた状態の模式的な部分断面図である。
【０００９】
図１に示すように、本発明のサイディング材用取付具１は、サイディング材を吊り下げるための吊下げ部２と、この吊下げ部２に吊り下げたサイディング材を胴縁や下地材に固定するための当て板部３から構成されている。
吊下げ部２は、図２に示すように、当て板部３から、サイディング材４の板状上辺縁部５と、これに続く突条の折込部６に沿って下方に延び、この折込部６の下部を巻回して、折込部６とサイディング材本体７との隙間に入って上方に延びる金属板体で一体に形成されている。
当て板部３には、サイディング材の厚みに相当する段部１１を設けておくことが好ましい。  
【００１０】
また、本発明のサイディング材用取付具１の当て板部３には、該取付具１を、胴縁や下地材にネジ等で取付け固定するための取付孔８が設けられている。
本発明のサイディング材用取付具は、通常、ステンレス鋼等の耐食性金属板体で形成されるが、プラスチック、ＦＲＰ等で形成してもよい。
なお、本発明のサイディング材用取付具を、プラスチックで形成した場合には、当て板部３に取付孔８を設けずに、当て板部３の任意の個所にネジを当てて貫通させ、締め付け固定することができる。
【００１１】
次に、本発明のサイディング材用取付具を使用して、サイディング材を家屋の既設壁面に設けた胴縁に取付ける工程を説明する。
まず、図２に示すように、下段からサイディング材４の左右方向に延びる突条の折込部６に、本発明のサイディング材用取付具１を取付ける。
取付けは、サイディング材用取付具１の吊下げ部２の先端辺を、サイディング材４の折込部６の下部に沿って、サイディング材本体７と折込部６との隙間に、摺動状に挿嵌させて行う。  
取付け後は、サイディング材用取付具１は、サイディング材４の折込部６に沿って左右に移動させることができる。
【００１２】
次いで、サイディング材４に取付けたサイディング材用取付具１を、折込部６に沿って左右に移動させて胴縁９の表面にあてがい、サイディング材用取付具１の取付孔８を利用するなどしてネジで締付け固定する。
これにより、サイディング材４は、サイディング材用取付具１の吊下げ部２に吊り下げられた状態で、胴縁９に固定されて、既設壁面を覆う新設壁面の一部をなす。
【００１３】
さらに、サイディング材４の上部に、新たなサイディング材を取り付ける。
この取付けは、図３に示すように、一枚目のサイディング材４の折込部６とサイディング材用取付具１の吊下げ部２を覆うように、二枚目のサイディング材４'の下端部にあるフック部１０'の先端辺を、サイディング材本体７と折込部６との隙間に、摺動状に挿嵌させて行う。
次に、二枚目のサイディング材４'の上部にある折込部６'に、前記した一枚目のサイディング材４にしたのと同様にして取付けた本発明のサイディング材用取付具１'を、胴縁９にネジ止め固定する。
このようにして、サイディング材を、順次、上方へ取付けていき既設壁面上に新たな壁面を形成する。
【００１４】
本発明の取付具を使用したサイディング材による壁面の形成において、サイディング材の胴縁ないし下地材への取付けは、サイディング材用取付具の当て板部に設けられた取付孔を介して、単にネジを締付け固定すればよく、従来のように、ネジをサイディング材の伸縮が可能な程度の緩みをもたせて締付け固定する必要はない。
【００１５】
また、従来のサイディング材は、板状の上辺縁部に連続して設けられた取付孔のネジに吊り下がって固定されているため、点状ないしせいぜい線状に接するネジ部に荷重が集中した状態であるので裂けてしまう可能性があるのに対し、本発明のサイディング材用取付具は、サイディング材の突条の折込部を、所要の幅を有する線状ないし面状に接する吊下げ部で固定するため、応力が分散され、サイディング材の耐久性の向上が図れる。
【００１６】
なお、本発明のサイディング材用取付具を用いて、サイディング材を胴縁等へ取付ける場合には、従来のサイディング材の板状上辺縁に設けられていた取付孔は不要となる。
また、前記した本発明の実施の形態では、既設壁面の上に新設壁面を形成する場合を示したが、新築家屋の新設壁面を形成する場合にも利用できることはいうまでもない。
【産業上の利用可能性】
【００１７】
本発明は、サイディング材を用いた家屋の既設壁面、若しくは新設壁面の形成に利用できる。
【図面の簡単な説明】
【００１８】
【図１】本発明のサイディング材用取付具を示すもので、（ａ）は正面図、（ｂ）は側面図である。
【図２】図１のサイディング材用取付具をサイディング材に取付けた状態の模式的な部分斜視図である。
【図３】本発明のサイディング材用取付具を用いてサイディング材を胴縁に取付けた状態の模式的な部分断面図である。
【図４】従来のサイディング材の一例を示す部分斜視図である。
【符号の説明】
【００１９】
１、１'  本発明のサイディング材用取付具
２  吊下げ部
３  当て板部
４、４'、２４  サイディング材
５、２５  サイディング材の板状上辺縁部
６、６'、２６  サイディング材の折込部
７、２７  サイディング材本体
８、２８  サイディング材の取付孔
９  胴縁  
１０、１０'、３０  サイディング材のフック部
１１  本発明のサイディング材用取付具の段部
【図１】
2005113601.tif 000003
【図２】
2005113601.tif 000004
【図３】
2005113601.tif 000005
【図４】
2005113601.tif 000006